(57)【要約】  【課題】引出し装置を備えた冷蔵庫に関し、ガタツキの少ない高品位かつ荷重を加えても操作力の小さい使い勝手の良い引出しを有する冷蔵庫を提供する。  【解決手段】レール部材３２は固定レール３２ａと、扉支持部材３３を設けた移動レール３２ｂと、固定レール３２ａと移動レール３２ｂと、固定レール３２ａと移動レール３２ｂとの係合を支持する回転支持部材である複数のベアリング３２ｄとを有し、固定レール３２ａと移動レール３２ｂとベアリング３２ｄとを予め組込んだ状態で固定レール３２ａを断熱箱体１９の両側部に設けた位置規制手段に固定し、移動レール３２ｂと扉支持部材３３とは、係合手段により連結され、扉支持部材３３をそれぞれの貯蔵室扉に固定したので、ガタツキの少ない高品位な引出し扉とすることができるとともに、容器の着脱が向上することで使い勝手の向上を図ることができる。【選択図】図３
2006046710.tif 000002
【特許請求の範囲】
【請求項１】
内箱と、外箱と、前記内箱と外箱間に充填した発泡断熱材とよりなる前面開口部を有する断熱箱体と、貯蔵室の内部に備えた容器と、前記貯蔵室に備えられ前記容器を前後に移動可能とするレール部材と、前記レール部材の固定位置を規制する位置規制手段と、内板と外板と前記内板と外板間に充填した発泡断熱材とからなる扉とを備え、前記レール部材は固定レールと移動レールとを有し、前記固定レールと移動レールはそれぞれ回転支持部材で支持され、前記固定レールと移動レールとを予め組込んだ状態で前記固定レールを前記断熱箱体の両側部に設けた位置規制手段に固定し、前記扉には扉支持部材を備え、前記移動レールと扉支持部材とを係合手段で連結するとともに前記容器と前記扉支持部材を第二の係合手段で支持することを特徴とする冷蔵庫。
【請求項２】
移動レールと扉支持部材とを連結する係合手段は、前記移動レールの上面に備えた突起部と扉支持部材に備えた開口部とよりなることを特徴とする請求項１に記載の冷蔵庫。
【請求項３】
容器と扉支持部材とを連結する第二の係合手段は、扉支持部材の上面に備えた上面開口部と容器の側部支持面に備えた突起部とよりなることを特徴とする請求項１または２に記載の冷蔵庫。
【請求項４】
移動レールと扉支持部材との連結固定は、係合手段で仮固定した後、扉支持部材の上面に備えた上面開口部下方でビスにて締結したことを特徴とする請求項３に記載の冷蔵庫。
【請求項５】
扉支持部材の左右先端部をつなぐ連結部材を備えたことを特徴とする請求項１から４のいずれか一項に記載の冷蔵庫。
【請求項６】
扉支持部材からレール部材を覆うように保護部材を設けたことを特徴とする請求項１から５のいずれか一項に記載の冷蔵庫。
【請求項７】
扉支持部材の上端面は移動レールと扉支持部材の連結面とし、レール部材の側面を覆う形状としたことを特徴とする請求項１に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図７は、従来の冷蔵庫の引出し式扉の斜視図である。図８は、従来の冷蔵庫の引出し装置の要部断面図である。図９は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材を内箱壁面に固定し、その後、容器をレール部材に支持したものである。
【００１０】
これによって固定レールと移動レールとのクリアランスを小さくすることができ、ガタツキの少ない高品位な引出しを構成することができる。
【００１１】
また、固定レールと移動レールとの間を回転支持部材で支持することにより容器に荷重を加えた場合でも滑らかに移動レールが移動できるので引出しの操作力を低減することができる。
【発明の効果】
【００１２】
本発明の冷蔵庫は、ガタツキの少ない高品位な引出し扉とすることができるとともに、容器の着脱が向上することで使い勝手の向上を図ることができる。
【発明を実施するための最良の形態】
【００１３】
請求項１に記載の発明は、内箱と、外箱と、前記内箱と外箱間に充填した発泡断熱材とよりなる前面開口部を有する断熱箱体と、貯蔵室の内部に備えた容器と、前記貯蔵室に備えられ前記容器を前後に移動可能とするレール部材と、前記レール部材の固定位置を規制する位置規制手段と、内板と外板と前記内板と外板間に充填した発泡断熱材とからなる扉とを備え、前記レール部材は固定レールと移動レールとを有し、前記固定レールと移動レールはそれぞれ回転支持部材で支持され、前記固定レールと移動レールとを予め組込んだ状態で前記固定レールを前記断熱箱体の両側部に設けた位置規制手段に固定し、前記扉には扉支持部材を備え、前記移動レールと扉支持部材とを係合手段で連結するとともに前記容器と前記扉支持部材を第二の係合手段で支持したものであり、固定レールと移動レールと中間レールとをあらかじめ組み込んだ状態のレール部材を内箱壁面の位置規制手段に固定することにより固定レールと移動レールとのクリアランスを小さくすることができ、ガタツキの少ない高品位な引出しを構成することができる。また、固定レールと移動レールと中間レールとの間を回転支持部材で支持することにより容器に荷重を加えた場合でも滑らかに移動レールが移動できるので引出しの操作力を低減することができ、使い勝手の向上を計ることができる。また、係合部材で支持することによりレール部材は断熱箱体に取り付けた状態で、扉支持部材及び扉を容易に取外せることができ作業性が向上することはもちろんのことサービス性も向上する。また、第二の係合部材で支持することにより、扉を取り外さなくても容器を容易に取外せることができるため、容器の清掃性が飛躍的に向上する。
【００１４】
請求項２に記載の発明は、請求項１に記載の発明において、移動レールと扉支持部材とを連結する係合手段は、前記移動レールの上面に備えた突起部と扉支持部材に備えた開口部とよりなるものであり、移動レールの突起部に扉支持部材の開口部をはめ込む形で固定することができ、移動レールの上面と扉支持部材の底面で受け面が構成されることで安定した支持が図れる。また、扉支持部材を容易に固定することができ、作業効率も大きく向上する。
【００１５】
請求項３に記載の発明は、請求項１または２に記載の発明において、容器と扉支持部材とを連結する第二の係合手段は、扉支持部材の上面に備えた上面開口部と容器の側部支持面に備えた突起部とよりなるものであり、扉支持部材の上面開口部に容器の突起を挿入するだけで、扉支持部材と容器を容易に固定することができ、作業効率も大きく向上する。また、容器の前後の位置決め手段にも利用できる。
【００１６】
請求項４に記載の発明は、請求項３に記載の発明において、移動レールと扉支持部材との連結固定は、係合手段で仮固定した後、扉支持部材の上面に備えた上面開口部下方でビスにて締結したものであり、移動レールとビス１本のみで固定することで、扉支持部材とレール部材の取り付け、取り外し性を簡略化できる。
【００１７】
請求項５に記載の発明は、請求項１から４のいずれか一項に記載の発明において、扉支持部材の左右先端部をつなぐ連結部材を備えたものであり、左右両端を連結させることで、左右のガタツキを少なくすることができ、高品位な引出しを構成することができる。また、左右の扉支持部材を連結部材で一部品にすることができ、扉支持部材の取り付け、取り外し性を簡略化できる。
【００１８】
請求項６に記載の発明は、請求項１から５のいずれか一項に記載の発明において、扉支持部材からレール部材を覆うように保護部材を設けたものであり、レール部材での指の傷つきを防ぐという安全性向上や、レール部材が見えにくくなることでの外観向上が図れる。
【００１９】
請求項７に記載の発明は、請求項１に記載の発明において、扉支持部材の上端面は移動レールと扉支持部材の連結面とし、レール部材の側面を覆う形状としたものであり、保護部材なくしてもレール部材での指の傷つきを防止するという安全性の向上や、レール部材が見えにくくなることでの外観向上が図れる。
【００２０】
以下、本発明の実施の形態について、図面を参照しながら説明する。なお、この実施の形態によってこの発明が限定されるものではない。
【００２１】
（実施の形態１）
図１は本発明の実施の形態１における冷蔵庫の縦断面図、図２は図１のＡ−Ａ断面図、図３は同実施の形態の要部概略図、図４は図３のＢ矢視図、図５は同実施の形態の連結部材周辺の斜視図、図６は同実施の形態の扉支持部材周辺の斜視図である。
【００２２】
図１から図４において、冷蔵庫１８の断熱箱体１９は内箱２０と外箱２１との間に発泡断熱材２２を充填したものであり、前面開口部１９ａを有し、仕切り壁２３、２３ａ、２６により、上部より冷蔵室２４、切替室２５、野菜室２７、冷凍室２８を形成している。
【００２３】
また、仕切り壁２６の両側面は開放部２６ａを有し、仕切り壁２６内部には断熱箱体１９と同様に発泡断熱材２２が充填されている。また、仕切り壁２６の上部に配置する野菜室２７は冷却温度が５℃程度、下部に配置する冷凍室２８は冷却温度が−２０℃程度というように仕切り壁２６を介して上下に異なる温度帯に設定されている。また、野菜室扉２９、冷凍室扉３０は内板３５と外板３６との間に発泡断熱材３７を充填したものである。
【００２４】
野菜室２７と冷凍室２８とはそれぞれ前面開口部１９ａを野菜室扉２９と冷凍室扉３０にて閉塞され、更に野菜室２７と野菜室扉２９及び冷凍室２８と冷凍室扉３０とはそれぞれレール部材３２及び扉支持部材３３により前後方向に引き出し摺動可能となっている。
【００２５】
レール部材３２は固定レール３２ａと、移動レール３２ｂと、固定レール３２ａと移動レール３２ｂとの間に備えられた中間走行レール３２ｃと、中間走行レール３２ｃと固定レール３２ａおよび移動レール３２ｂとの係合を支持する回転支持部材である複数のベアリング３２ｄと、固定レール３２ａと移動レール３２ｂと中間走行レール３２ｃとベアリング３２ｄとを予め組み込んだ状態で固定レール３２ａを、内箱２０を介して発泡断熱材２２側に設けた位置規制手段を兼ねた補強部材３８に左右それぞれ固定される。
【００２６】
また、扉支持部材３３は、下方を断付したフレーム３３ａと取付部３３ｂとからなり、取付部３３ｂの面を野菜室扉２９の内板３５の面に取付け、左右それぞれ別々に野菜室扉２９に連結固定される。
【００２７】
更に、扉支持部材３３は移動レール３２ｂと野菜室扉２９を連結固定するための部材であり、例えば、扉支持部材３３の移動レール３２ｂに載置する面の後端にはめ込むために切り欠いた開口部３３ｆと、移動レール３２ｂの上面に係止するための突起部３２ｅを設け開口部３３ｆを突起部３２ｅにはめ込むことで固定されるような係合部材として構成される。なお、扉支持部材３３と移動レール３２ｂ自体に係合手段を構成するのではなく、固定するための別部品を用いても構わない。
【００２８】
また、係合手段としては、移動レール３２ｂの上面に備えた突起部３２ｅにて扉支持部材３３を係止し、扉支持部材３３の上面に備えた上面開口部３３ｃを利用して、移動レール３２ｂとビス３３ｄにて固定する構成もある。
【００２９】
そして、野菜室扉２９に扉支持部材３３を連結固定した状態で、レール部材３２の移動レール３２ｂと扉支持部材３３の段付したフレーム３３ａと取付部３３ｂの面で連結固定し、フレーム３３ａの上方から第二の係合手段を介して容器４０を載置する。
【００３０】
また、容器４０と扉支持部材３３を固定する第二の係合手段として、容器４０の側部支持面に備えた突起部４０ａと、扉支持部材３３の上面に備えた上面開口部３３ｃとからなり、突起部４０ａに上面開口部をはめ込むことで固定することができる。なお、上記した逆の構成、すなわち容器４０に開口部を設け扉支持部材３３に突起部を設ける、また、容器４０にツメを設置（図示せず）し、扉支持部材３３に穴を設けて引っ掛けるという構成であっても構わない。また、容器４０と扉支持部材３３自体に第二の係合手段を構成するのではなく固定するための別部品を用いても構わない。
【００３１】
固定レール３２ａと移動レール３２ｂと、固定レール３２ａと移動レール３２ｂとの間にベアリング３２ｄを介して配設した中間走行レール３２ｃとを有するレール部材３２は予め組込んだものであり、それぞれのレール間のクリアランスを最小限に設定することができる。
【００３２】
また、扉支持部材３３は左右両端をつなぐ連結部材４１を設けてもよい。
【００３３】
また、扉支持部材３３からレール部材３２を覆うように保護部材４２を構成しても構わない。
【００３４】
また、扉支持部材３３の上端面を移動レール３２ｂと扉支持部材３３の連結面とし、レール部材３２の側面を覆うような形状としてもよい。この場合、移動レール３２の上端面から吊り下げるような構成にもできる。
【００３５】
また、ベアリング３２ｄは回転支持部材であればよく、たとえば一般に使用されているローラ等を用いてもよい。
【００３６】
以上のように構成された冷蔵庫について、以下その動作、作用を説明する。
【００３７】
まず、各貯蔵室扉を手前に引き出すと各貯蔵室の両側部に備えられたレール部材３２の移動レール３２ｂと中間走行レール３２ｃとがベアリング３２ｄが回転することにより滑らかに手前側に摺動する。それに伴い、扉支持部材３３のフレーム３３ａに支持された容器４０も手前に引き出され、容器４０内に収納された被冷却物の取り出し及び新たな被冷却物の収納が可能となる。
【００３８】
特に、レール部材３２は、固定レール３２ａと、移動レール３２ｂと、固定レール３２ａと移動レール３２ｂとの間に備えられた中間走行レール３２ｃと、中間走行レール３２ｃと固定レール３２ａおよび移動レール３２ｂとの係合を支持する回転支持部材である複数のベアリング３２ｄとを予め組込んだ状態で、固定レール３２ａを内箱２０を介して発泡断熱材２２側に設けた位置規制を兼ねた補強部材３８に左右それぞれ固定しているので、固定レール３２ａと移動レール３２ｂとのクリアランスを小さくすることができ、ガタツキの少ない高品位な引出しを構成することができる。また、クリアランスを小さくすることにより取り付けのばらつきも小さくできるのでドアの取り付け不具合による傾きや他のドアとの間隔の不均一化という外観不良も抑制することができる。これらの効果はレール部材３２の引出し代が大きいほど効果的である。また、固定レール３２ａと移動レール３２ｂとの間を回転支持部材であるベアリング３２ｄで支持することにより容器４０に荷重を加えた場合でも滑らかに移動レール３２ｂが移動できるので引き出しの操作力を低減することができ、使い勝手の向上を図ることができる。
【００３９】
また、野菜室扉２９に扉支持部材３３の取付部３３ｂの面を内板３５に連結固定した状態で、レール部材３２の移動レール３２ｂと扉支持部材３３の段付したフレーム３３ａを連結固定し、フレーム３３ａの上方から容器４０を載置することで、容器４０の着脱性が向上するとともに、レール部材３２の操作性の確保、組立作業性の向上を図ることができる。
【００４０】
また、扉支持部材３３と移動レール３２ｂとを連結固定するために、扉支持部材３３の移動レール３２ｂに載置する面の後端にはめ込むために切り欠いた開口部３３ｆと、移動レール３２ｂの上面に係止するための突起部３２ｅを設け開口部３３ｆを突起部３２ｅにはめ込むことで固定される係合手段を形成しているので、レール部材３２は断熱箱体２０に取り付けた状態で、扉支持部材３３及び野菜室扉２９を容易に取り付け取り外せることができ、作業性の向上はもちろんのことサービス性の向上を図ることができる。
【００４１】
また、容器４０と扉支持部材３３を固定する第二の係合手段としては、容器４０の側部支持面に備えた突起部４０ａと、扉支持部材３３の上面に備えた上面開口部３３ｃとで、第二の係合手段を形成しているので、突起部４０ａに上面開口部３３ｃをはめ込むことで固定することができるので、野菜室扉２９を取り外さなくても容器４０を容易に取外せることができるため、容器の清掃性が飛躍的に向上する。また、扉支持部材３３と容器４０を容易に固定することができ、作業効率も大きく向上する。また、容器４０の前後左右の位置決め手段にも利用できる。
【００４２】
また、係合手段である扉支持部材３３の上面開口部３３ｃと移動レール３２ｂに備えた突起部３２ｅとをはめ込む形で仮固定した後、扉支持部材３３の上面に備えた上面開口部３３ｃの下方でビス３３ｄにて締結することで、移動レール３２ｂとビス１本のみで固定できるため、扉支持部材３３と移動レール３２ｂの取り付け、取り外し性を簡略化できる。
【００４３】
また、扉支持部材３３は左右別々に野菜室扉２９に連結固定したもので説明したが、図５に示すように、左右先端部をつなぐ連結部材４１にて固定することで、左右両端を連結させるため、左右のガタツキを更に少なくすることができ、高品位な引出しを構成することができる。また、扉支持部材３３を一部品にて構成することが可能であり、更に作業性の向上を図ることができる。
【００４４】
また、図６に示すように、扉支持部材３３からレール部材３２を覆うように保護部材４２を設けることで、摺動するレール部材３２での指の傷つきを防止するという安全性の向上や、レール部材３２が見えにくくなることでの外観向上が図れる。
【００４５】
また、扉支持部材３３の上端面は移動レールと扉支持部材３３の連結面とし、レール部材３２の側面を覆う形状としたものであり、保護部材なくしてもレール部材での指の傷つきを防止するという安全性の向上と一部品で構成することによるコストの削減を図ることができる。
【００４６】
なお、本実施の形態では、野菜室２７と冷凍室２８にレール部材３２を用いたもので説明したが、引出し容器を備えた貯蔵室に適宜適用できる。例えば、野菜室２７の上部に位置する切替室２５や、切替室２５の横に併設した製氷室（図示せず）等に用いてもよい。
【産業上の利用可能性】
【００４７】
以上のように、本発明にかかる冷蔵庫は、ガタツキが小さく、容器に加重を加えた場合でも滑らかに引出しを開閉することができ、高品位で使い勝手の良い引出し収納ができるとともに、レール部材と扉支持部材、扉支持部材と容器が簡単に外せることができるため、冷凍装置を備えた冷却貯蔵庫の引出し装置等の用途にも適用できる。
【図面の簡単な説明】
【００４８】
【図１】本発明の実施の形態１における縦断面図
【図２】図１のＡ−Ａ断面図
【図３】同実施の形態の冷蔵庫の要部概略図
【図４】図３のＢ矢視図
【図５】同実施の形態の連結部材周辺の斜視図
【図６】同実施の形態の扉支持部材周辺の斜視図
【図７】従来の冷蔵庫の引出し扉の斜視図
【図８】従来の冷蔵庫の引出し装置の要部断面図
【図９】従来の冷蔵庫の引出し装置の断面図
【符号の説明】
【００４９】
１８  冷蔵庫
１９  断熱箱体
１９ａ  前面開口部
２０  内箱
２１  外箱
２２  発泡断熱材
２７  野菜室
２８  冷凍室
３２  レール部材
３２ａ  固定レール
３２ｂ  移動レール
３２ｃ  中間走行レール
３２ｄ  ベアリング
３２ｅ  突起部
３３  扉支持部材
３３ｃ  上面開口部
３３ｄ  ビス
３３ｆ  開口部
４０  容器
４０ａ  突起部
４１  連結部材
４２  保護部材
【図１】
2006046710.tif 000003
【図２】
2006046710.tif 000004
【図３】
2006046710.tif 000005
【図４】
2006046710.tif 000006
【図５】
2006046710.tif 000007
【図６】
2006046710.tif 000008
【図７】
2006046710.tif 000009
【図８】
2006046710.tif 000010
【図９】
2006046710.tif 000011